【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
複数のインクを用いて記録媒体に画像を記録するためのデータ処理を行う画像処理装置であって、
前記複数のインクのうち前記記録媒体の同一領域に先行して付与される第１の有色インクに対応する第１の多値データと、前記複数のインクのうち前記同一領域に前記第１の有色インクよりも遅れて付与される第２の有色インクに対応する第２の多値データを取得する取得手段と、
前記第１の多値データを量子化して前記第１の有色インクによるドットの記録または非記録を指定する第１の量子化データを生成し、前記第２の多値データを量子化して前記第２の有色インクによるドットの記録または非記録を指定する第２の量子化データを生成する量子化手段と
を備え、
前記量子化手段は、複数の閾値が配列して構成される閾値マトリクスを用いることにより前記第１の多値データおよび前記第２の多値データを量子化し、
前記量子化手段は、前記同一領域において前記第１の多値データが中間の階調を示し前記第２の多値データが中間の階調を示し、且つ前記第１の有色インクと前記第２の有色インクのドットの少なくとも一部が互いに重複する場合に、前記同一領域における前記第１の量子化データに基づいて記録されるドットの分散性が前記第２の量子化データに基づいて記録されるドットの分散性よりも高くなるように、前記第１の多値データおよび前記第２の多値データを量子化することを特徴とする画像処理装置。
【請求項２】
前記量子化手段は、前記閾値と前記第２の多値データの相対差を変更し、変更された前記相対差において前記第２の多値データを量子化することを特徴とする請求項１に記載の画像処理装置。
【請求項３】
前記量子化手段は、前記第１の多値データを用いて前記第１の多値データの量子化に用いられる閾値をオフセットすることにより前記閾値と前記第２の多値データの相対差を変更することを特徴とする請求項２に記載の画像処理装置。
【請求項４】
処理対象画素の複数のインクのうち第１の有色インクに対応する第１の多値データと、処理対象画素の前記複数のインクのうち第２の有色インクに対応する第２の多値データを取得する取得手段と、
複数の閾値が配列された閾値マトリクスの処理対象画素に対応する閾値を用いて前記第１の多値データを量子化することにより前記第１の有色インクによるドットの記録または非記録を指定する第１の量子化データを生成し、前記第１の多値データに基づいて前記閾値と前記第２の多値データの相対差を変更し、変更された前記相対差において前記第２の多値データを量子化して前記第２の有色インクによるドットの記録または非記録を指定する第２の量子化データを生成する量子化手段と、
を備えた記録媒体に画像を記録するためのデータ処理を行う画像処理装置であって、
前記記録媒体の同一領域に対して、前記第２の有色インクは前記第１の有色インクよりも遅れて付与されることを特徴とする画像処理装置。
【請求項５】
前記量子化手段は、前記第１の多値データを用いて前記第１の多値データの量子化に用いられる閾値をオフセットすることにより前記閾値と前記第２の多値データの相対差を変更することを特徴とする請求項４に記載の画像処理装置。
【請求項６】
前記量子化手段は、前記第１の多値データを前記閾値マトリクスの処理対象画素に対応する閾値と比較することによって前記第１の多値データに対する量子化処理を行い、前記変更された前記相対差ににおいて前記第２の多値データに対する量子化処理を行うことを特徴とする請求項４または５に記載の画像処理装置。
【請求項７】
前記閾値マトリクスは、前記第１の多値データおよび前記第２の多値データが中間の階調を表す場合に前記第１の量子化データおよび前記第２の量子化データに従って記録されるドットパターンにおいて、低周波領域のパワーが高周波領域のパワーよりも抑えられるように形成されていることを特徴とする請求項１ないし６のいずれか１項に記載の画像処理装置。
【請求項８】
前記閾値マトリクスはブルーノイズ特性を有することを特徴とする請求項１ないし７のいずれか１項に記載の画像処理装置。
【請求項９】
前記閾値マトリクスは、所定の閾値よりも低い閾値が設定されている画素群である第１の画素群の配列における低周波領域のパワーが、前記所定の閾値よりも高い閾値が設定されている画素群である第２の画素群の配列における低周波領域のパワーよりも低くなるように形成されていることを特徴とする請求項１ないし７のいずれか１項に記載の画像処理装置。
【請求項１０】
前記第１の多値データを量子化するために用いる前記閾値マトリクスは、前記第２の多値データを量子化するために用いる閾値マトリクスと同じであることを特徴とする請求項１ないし９のいずれか１項に記載の画像処理装置。
【請求項１１】
前記量子化手段は、
（ｉ）処理対象画素に対応する前記第１の多値データの値が前記閾値マトリクスの前記処理対象画素に対応する閾値よりも大きい場合は、量子化後のデータが前記処理対象画素に前記第１の有色インクの記録を示し、（ｉｉ）前記処理対象画素に対応する前記第１の多値データの値が前記閾値マトリクスの前記処理対象画素に対応する閾値よりも小さい場合は、量子化後のデータが前記処理対象画素に前記第１の有色インクの非記録を示すように、前記第１の多値データを量子化し、
（ｉｉｉ）処理対象画素に対応する前記第２の多値データの値が、前記閾値マトリクスの前記処理対象画素に対応する閾値と前記処理対象画素に対応する前記第１の多値データの値から得られる値よりも大きい場合は、量子化後のデータが前記処理対象画素に前記第２の有色インクの記録を示し、（ｉｖ）前記処理対象画素に対応する前記第２の多値データの値が、前記閾値マトリクスの前記処理対象画素に対応する閾値と前記処理対象画素に対応する前記第１の多値データの値から得られる値よりも小さい場合は、量子化後のデータが前記処理対象画素に前記第２の有色インクの非記録を示すように、前記第２の多値データを量子化することを特徴とする請求項１ないし１０のいずれか１項に記載の画像処理装置。
【請求項１２】
前記量子化手段は、前記第２の多値データを量子化する工程において、処理対象画素に対応する前記第１の多値データの値を前記処理対象画素に対応する閾値から減算し、減算した後の前記閾値マトリクスに基づいて前記第２の多値データを量子化することを特徴とする請求項１ないし１１のいずれか１項に記載の画像処理装置。
【請求項１３】
前記量子化手段は、前記第２の多値データを量子化する工程において、処理対象画素に対応する前記第１の多値データの値を前記処理対象画素に対応する前記第２の多値データの値に加算し、加算した後の前記第２の多値データを前記閾値マトリクスに基づいて量子化することを特徴とする請求項１ないし１１のいずれか１項に記載の画像処理装置。
【請求項１４】
前記量子化手段は、前記第１の多値データおよび前記第２の多値データのそれぞれを３値以上の第１の量子化データおよび前記第２の量子化データに量子化することを特徴とする請求項１ないし１３のいずれか１項に記載の画像処理装置。
【請求項１５】
前記第１の有色インクを吐出する吐出口列と前記第２の有色インクを吐出する吐出口列を有する記録ヘッドを前記記録媒体に対して走査する記録走査と、前記記録媒体を前記記録走査と交差する方向に搬送する搬送動作が交互に行われることにより、前記記録媒体に画像が記録され、
前記第１の有色インクの吐出口列は前記第２の有色インクの吐出口列よりも前記記録走査の方向において前方に位置していることを特徴とする請求項１ないし１４のいずれか１項に記載の画像処理装置。
【請求項１６】
前記第１の有色インクを吐出する吐出口列と前記第２の有色インクを吐出する吐出口列を有する記録ヘッドを前記記録媒体に対して走査する記録走査と、前記記録媒体を前記記録走査と交差する方向に搬送する搬送動作が交互に行われることにより、前記記録媒体に画像が記録され、
前記第１の有色インクの吐出口列は前記第２の有色インクの吐出口列よりも前記搬送の方向において上流に位置していることを特徴とする請求項１ないし１４のいずれか１項に記載の画像処理装置。
【請求項１７】
前記第１の有色インクを吐出する吐出口が前記記録媒体の幅に相当する距離だけ配列されて成る吐出口列と、前記第２の有色インクを吐出する吐出口が前記記録媒体の幅に相当する距離だけ配列されて成る吐出口列を有する記録ヘッドに対し、前記記録媒体を前記配列の方向と交差する方向に搬送する搬送動作を行うことにより前記記録媒体に画像が記録され、前記第１の有色インクの吐出口列は前記第２の有色インクの吐出口列よりも前記搬送の方向において上流に位置していることを特徴とする請求項１ないし１４のいずれか１項に記載の画像処理装置。
【請求項１８】
前記記録ヘッドと前記搬送動作を実行する搬送手段とを更に備えることを特徴とする請求項１５ないし１７のいずれか１項に記載の画像処理装置。
【請求項１９】
前記第１の有色インクは前記複数のインクのうち前記記録媒体の前記同一領域に最初に付与されることを特徴とする請求項１ないし１８のいずれか１項に記載の画像処理装置。
【請求項２０】
前記第１の有色インクはブラックインクであり、前記第２の有色インクは有彩色のカラーインクであることを特徴とする請求項１ないし１９のいずれか１項に記載の画像処理装置。
【請求項２１】
前記複数のインクは、ブラックインク、シアンインク、マゼンタインク、イエローインク、グレーインク、レッドインク、グリーンインク、ブルーインク、およびこれらインクとを含有する色材濃度が異なるインクのいずれか複数のインクであることを特徴とする請求項１ないし２０のいずれか１項に記載の画像処理装置。
【請求項２２】
複数のインクを用いて記録媒体に画像を記録するための画像処理方法であって、
前記複数のインクのうち前記記録媒体の同一領域に先行して付与される第１の有色インクに対応する第１の多値データと、前記複数のインクのうち前記同一領域に前記第１の有色インクよりも遅れて付与される第２の有色インクに対応する第２の多値データを取得する取得工程と、
前記第１の多値データを量子化して前記第１の有色インクによるドットの記録または非記録を指定する第１の量子化データを生成し、前記第２の多値データを量子化して前記第２の有色インクによるドットの記録または非記録を指定する第２の量子化データを生成する量子化工程と、
を有し、
前記量子化工程は、複数の閾値が配列して構成される閾値マトリクスを用いることにより前記第１の多値データおよび前記第２の多値データを量子化し、
前記量子化工程は、前記同一領域において前記第１の多値データが中間の階調を示し前記第２の多値データが中間の階調を示し、且つ前記第１の有色インクと前記第２の有色インクのドットの少なくとも一部が互いに重複する場合に、前記同一領域における前記第１の量子化データに基づいて記録されるドットの分散性が前記第２の量子化データに基づいて記録されるドットの分散性よりも高くなるように、前記第１の多値データおよび前記第２の多値データを量子化することを特徴とする画像処理方法。
【請求項２３】
前記量子化工程は、前記閾値と前記第２の多値データの相対差を変更し、変更された前記相対差において前記第２の量子化データを生成することを特徴とする請求項２２に記載の画像処理方法。
【請求項２４】
前記量子化工程は、前記第１の多値データを用いて前記第１の多値データの量子化に用いられる閾値をオフセットすることにより前記閾値と前記第２の多値データの相対差を変更することを特徴とする請求項２３に記載の画像処理方法。
【請求項２５】
処理対象画素の複数のインクのうち第１の有色インクに対応する第１の多値データと、処理対象画素の前記複数のインクのうち第２の有色インクに対応する第２の多値データを取得する取得工程と、
複数の閾値が配列された閾値マトリクスの処理対象画素に対応する閾値を用いて前記第１の多値データを量子化することにより前記第１の有色インクによるドットの記録または非記録を指定する第１の量子化データを生成し、前記第１の多値データに基づいて前記閾値と前記第２の多値データの相対差を変更し、変更された前記相対差において前記第２の多値データを量子化して前記第２の有色インクによるドットの記録または非記録を指定する第２の量子化データを生成する量子化工程と、
を有する記録媒体に画像を記録するためのデータ処理を行う画像処理方法であって、
前記記録媒体の同一領域に対して、前記第２の有色インクは前記第１の有色インクよりも遅れて付与されることを特徴とする画像処理方法。
【請求項２６】
前記量子化工程は、前記第１の多値データを用いて前記第１の多値データの量子化に用いられる閾値をオフセットすることにより前記閾値と前記第２の多値データの相対差を変更することを特徴とする請求項２５に記載の画像処理方法。
【請求項２７】
前記同一領域において前記第１の多値データが中間の階調を表し前記第２の多値データが中間の階調を表す場合、前記量子化工程は、前記記録媒体の前記同一領域における前記第１の量子化データに基づいて記録されるドットの分散性が前記第２の量子化データに基づいて記録されるドットの分散性よりも高くなるように、前記第１の多値データおよび前記第２の多値データを量子化することを特徴とする請求項２６に記載の画像処理方法。
【請求項２８】
前記閾値マトリクスは、前記第１の多値データおよび前記第２の多値データが中間の階調を表す場合に前記第１の量子化データおよび前記第２の量子化データに従って記録されるドットパターンにおいて、低周波領域のパワーが高周波領域のパワーよりも抑えられるように形成されていることを特徴とする請求項２２ないし２７のいずれか１項に記載の画像処理方法。
【請求項２９】
前記閾値マトリクスはブルーノイズ特性を有することを特徴とする請求項２２ないし２７のいずれか１項に記載の画像処理方法。
【請求項３０】
前記第１の有色インクは前記複数のインクのうち前記記録媒体の同一領域に最初に付与されることを特徴とする請求項２２ないし２９のいずれか１項に記載の画像処理方法。
【請求項３１】
前記量子化工程は、前記第１の多値データおよび前記第２の多値データのそれぞれを３値以上の第１の量子化データおよび前記第２の量子化データに量子化することを特徴とする請求項２２ないし３０のいずれか１項に記載の画像処理方法。
【請求項３２】
請求項１ないし２１のいずれか１項に記載の画像処理装置の各手段としてコンピュータを機能させるためのプログラム。
【手続補正２】
【補正対象書類名】明細書
【補正対象項目名】発明の名称
【補正方法】変更
【補正の内容】
【発明の名称】画像処理装置、画像処理方法およびプログラム
【手続補正３】
【補正対象書類名】明細書
【補正対象項目名】０００１
【補正方法】変更
【補正の内容】
【０００１】
本発明は、量子化処理を行って記録媒体に画像を形成するための画像処理装置、画像処理方法およびプログラムに関する。
【手続補正４】
【補正対象書類名】明細書
【補正対象項目名】００２４
【補正方法】変更
【補正の内容】
【００２４】
そのために本発明は、複数のインクを用いて記録媒体に画像を記録するためのデータ処理を行う画像処理装置であって、前記複数のインクのうち前記記録媒体の同一領域に先行して付与される第１の有色インクに対応する第１の多値データと、前記複数のインクのうち前記同一領域に前記第１の有色インクよりも遅れて付与される第２の有色インクに対応する第２の多値データを取得する取得手段と、前記第１の多値データを量子化して前記第１の有色インクによるドットの記録または非記録を指定する第１の量子化データを生成し、前記第２の多値データを量子化して前記第２の有色インクによるドットの記録または非記録を指定する第２の量子化データを生成する量子化手段とを備え、前記量子化手段は、複数の閾値が配列して構成される閾値マトリクスを用いることにより前記第１の多値データおよび前記第２の多値データを量子化し、前記量子化手段は、前記同一領域において前記第１の多値データが中間の階調を示し前記第２の多値データが中間の階調を示し、且つ前記第１の有色インクと前記第２の有色インクのドットの少なくとも一部が互いに重複する場合に、前記同一領域における前記第１の量子化データに基づいて記録されるドットの分散性が前記第２の量子化データに基づいて記録されるドットの分散性よりも高くなるように、前記第１の多値データおよび前記第２の多値データを量子化することを特徴とする。